(57)【特許請求の範囲】
【請求項１】
画像の撮像時のＸ線量と、ビットプレーン単位に符号化された当該画像の符号列と、を受信する受信手段と、
前記Ｘ線量に基づいて、前記画像に含まれるノイズ量を計算する計算手段と、
前記符号列をビットプレーン単位で復号化する復号化手段とを備え、
前記復号化手段は、
前記計算手段が計算した前記ノイズ量に基づいて、ビットプレーンの復号化の際の下限ビットプレーンを算出する手段と、
復元された変換係数がどのサブバンドに属するかを調べ、その結果、最低周波数帯域以外のサブバンドに属する場合には、前記下限ビットプレーンでビットプレーンの復号化処理をうち切り、それ以降、最下位ビットプレーンまでのすべてのビットプレーンに含まれる変換係数のビットを０に設定する手段と
を備えることを特徴とする画像復号装置。
【請求項２】
画像の撮像時のＸ線量と、ビットプレーン単位に符号化された当該画像の符号列と、を受信する受信工程と、
前記Ｘ線量に基づいて、前記画像に含まれるノイズ量を計算する計算工程と、
前記符号列をビットプレーン単位で復号化する復号化工程とを備え、
前記復号化工程段は、
前記計算工程で計算した前記ノイズ量に基づいて、ビットプレーンの復号化の際の下限ビットプレーンを算出する工程と、
復元された変換係数がどのサブバンドに属するかを調べ、その結果、最低周波数帯域以外のサブバンドに属する場合には、前記下限ビットプレーンでビットプレーンの復号化処理をうち切り、それ以降、最下位ビットプレーンまでのすべてのビットプレーンに含まれる変換係数のビットを０に設定する工程と
を備えることを特徴とする画像復号方法。
【請求項３】
コンピュータに請求項２に記載の画像復号方法を実行させるためのコンピュータプログラムを格納した、コンピュータ読み取り可能な記憶媒体。
【発明の詳細な説明】
【０００１】
【発明の属する技術分野】
本発明は、符号化された画像を含むファイルを送信する画像送信装置、あるいは符号化データを復号化する画像復号装置及びこれらの制御方法並びに記憶媒体に関するものである。
【０００２】
【従来の技術】
従来からＸ線による医療画像は撮像後フィルムに現像され診断に用いられることが広く行われてきた。しかし、近年のコンピュータの性能向上、記憶媒体の大容量化等から医療画像を電子フォーマットとして保存または伝送し、診断の用途に用いられることが行われるようになってきている。
【０００３】
図１１は医療画像を電子フォーマットとして扱う場合の一連の処理を行う画像処理装置の構成を示したものである。同図において、画像入力装置１はＸ線撮像装置などの撮像装置であり、用途に応じたセンサにより必要な画像を生成し出力する。ここで生成される画像は例えば縦横の画素数が各々２５００画素またはそれ以上の解像度を持ち、各画素の精度は１画素あたり１２ビットで表現されている。このように解像度が高く、しかも画素精度が高い画像をそのままの形で保存するためには大きな容量の記憶媒体が必要となるため、必要に応じ、画像は圧縮符号化される。
【０００４】
図１１における画像符号化装置２はこのような画像を圧縮するために用いられ、画像入力装置１から入力した画像を所定の方式により可逆または非可逆で圧縮符号化して出力する。ここで医療画像においては、その用途から画像に含まれる情報を完全に保存する可逆圧縮が用いられることが多い。そのため圧縮符号化方式としては、例えばＩＳＯおよびＩＴＵ−Ｔにより勧告された圧縮符号化方式であるＪＰＥＧにおける可逆圧縮モードが用いられる。
【０００５】
又近年、画像をウェーブレット変換し、ビットプレーン毎にエントロピー符号化する、いわゆるＪＰＥＧ２０００方式が検討されている。本方式は可逆圧縮も可能であり、医療画像の圧縮にも大変に適している。
【０００６】
圧縮符号化された画像信号は符号列として後続のファイル出力装置３に出力される。ファイル出力装置３は、画像符号化装置２により圧縮符号化された符号列に対し、診断に必要な情報、例えば患者の氏名、撮像時の条件を追加したファイルフォーマットに構成し、記憶・伝送装置４に対して出力する。記憶・伝送装置４はこのようにして構成された所定のフォーマットを持つデータをファイルとして記憶或いは他の装置に対して伝送する。
【０００７】
ここで、記憶媒体としてはハードディスク、ＭＯなどが用いられ、伝送に際してはネットワーク等が用いられる。次にこのように記憶・伝送されたデータを表示する際には次のように処理が行われる。
【０００８】
記憶・伝送装置４から出力されたファイルはファイル入力装置５により読み込まれ、必要な情報が抽出された後、符号列が後続の画像復号装置６に出力される。画像復号装置６は入力した符号化列を復号し、元の画像信号に再生して後続の画像表示装置７に対して出力する。画像表示装置７は入力した画像信号を表示し、診断等の用途に用いられる。
【０００９】
【発明が解決しようとする課題】
前述した画像処理装置において、画像入力装置１には例えばＸ線を用いた撮像装置が用いられることが多いが、被験者に与える影響などから撮像時のＸ線量は少ないことが望ましい。しかし、Ｘ線量を小さくすることにより撮像された画像には量子ノイズが多く含まれることが知られており、このような量子ノイズは画像表示装置７により診断を行う際の妨害となる。
【００１０】
本発明は以上の問題点に対して鑑みられたものであり、画像をビットプレーン単位に圧縮・復号する際に、元の画像に含まれるノイズを除去することも可能な画像復号技術あるいは符号化ファイルの作成技術を提供するものである。
【００１１】
【課題を解決するための手段】
本発明の目的を達成するために、例えば本発明の画像復号装置は以下の構成を備える。
即ち、画像の撮像時のＸ線量と、ビットプレーン単位に符号化された当該画像の符号列と、を受信する受信手段と、
前記Ｘ線量に基づいて、前記画像に含まれるノイズ量を計算する計算手段と、
前記符号列をビットプレーン単位で復号化する復号化手段とを備え、
前記復号化手段は、
前記計算手段が計算した前記ノイズ量に基づいて、ビットプレーンの復号化の際の下限ビットプレーンを算出する手段と、
復元された変換係数がどのサブバンドに属するかを調べ、その結果、最低周波数帯域以外のサブバンドに属する場合には、前記下限ビットプレーンでビットプレーンの復号化処理をうち切り、それ以降、最下位ビットプレーンまでのすべてのビットプレーンに含まれる変換係数のビットを０に設定する手段と
を備えることを特徴とする。
【００１２】
本発明の目的を達成するために、例えば本発明の画像復号方法は以下の構成を備える。
即ち、画像の撮像時のＸ線量と、ビットプレーン単位に符号化された当該画像の符号列と、を受信する受信工程と、
前記Ｘ線量に基づいて、前記画像に含まれるノイズ量を計算する計算工程と、
前記符号列をビットプレーン単位で復号化する復号化工程とを備え、
前記復号化工程段は、
前記計算工程で計算した前記ノイズ量に基づいて、ビットプレーンの復号化の際の下限ビットプレーンを算出する工程と、
復元された変換係数がどのサブバンドに属するかを調べ、その結果、最低周波数帯域以外のサブバンドに属する場合には、前記下限ビットプレーンでビットプレーンの復号化処理をうち切り、それ以降、最下位ビットプレーンまでのすべてのビットプレーンに含まれる変換係数のビットを０に設定する工程と
を備えることを特徴とする。
【００１３】
【発明の実施の形態】
以下添付した図面に従って、本発明を好適な実施形態に従って詳細に説明する。
【００１４】
［第１の実施形態］
図１は本実施形態における画像送信装置の基本構成を示すブロック図である。同図において、１から７までの各部の機能および全体の処理概要は図１１に示した従来の技術において説明したものと基本的に同じであるため、処理の概要について再度の説明は省略する。以降では、各部の動作の詳細について、本実施形態における画像送信装置の動作のフローチャートを示す図１２を用いて順次説明を行う。
【００１５】
前述したように画像入力装置１から入力された画像信号（ステップＳ１２０１）は画像符号化装置２により圧縮符号化される。図２は画像符号化装置２の構成を示した図であり、入力された画像信号は離散ウェーブレット変換部２０１において変換処理が施されて変換係数が生成され（ステップＳ１２０２）、この変換係数はエントロピ符号化部２０２により符号化（エントロピ符号化）されている。以下画像符号化装置２の内部の各部の動作について説明する。
【００１６】
離散ウェーブレット変換部２０１は、画像入力装置１から入力した画像信号に対して２次元の離散ウェーブレット変換処理を行い、変換係数を計算して出力するものである。
【００１７】
図３（ａ）は離散ウェーブレット変換部２０１の基本構成を示した図である。画像入力装置１から入力された画像信号はメモリ２０１Ａに記憶され、処理部２０１Ｂにより画像信号は順次読み出されて離散ウェーブレット変換処理が行われる。そして離散ウェーブレット変換の結果、変換係数が生成され、この変換係数はメモリ２０１Ａに書きこまれる。本実施形態においては、処理部２０１Ｂの構成は同図（ｂ）に示すものとする。同図において、入力された画像信号は遅延素子３０１およびダウンサンプラ３０２ａ，３０２ｂの組み合わせにより、メモリ２０１ａにおけるアドレスにおいて、偶数アドレスおよび奇数アドレスの信号に分離され、２つのフィルタｐおよびｕによりフィルタ処理が施される。同図（ｂ）ｓおよびｄは、各々１次元の画像信号に対して１レベルの分解を行った際のローパス係数およびハイパス係数を表しており、次式により計算されるものとする。
【００１８】
d(n)=x(2*n+1)-floor((x(2*n)+x(2*n+ 2))/2）        （式１）
s(n)=x(2*n)+floor((d(n-1)+d(n))/4)                （式２）
ただし、ｘ(n)は変換対象となるアドレスｎにおける画像信号である。また、floor(x)はｘを超えない最大の整数値を返す関数である。
【００１９】
以上の処理により、画像信号に対する１次元の離散ウェーブレット変換処理が行われる。２次元の離散ウェーブレット変換は、１次元の変換を画像の水平・垂直方向に対して順次行うものであり、その詳細は公知であるのでここでは説明を省略する。
【００２０】
図３（ｃ）は２次元の離散ウェーブレット変換処理により得られる２レベルの変換係数群の構成例であり、画像信号は異なる周波数帯域の係数列ＨＨ１、ＨＬ１、ＬＨ１、…、ＬＬに分解される。なお、以降の説明ではこれらの係数列をサブバンドと呼ぶ。各サブバンドの係数は後続のエントロピ符号化部２０２に出力される。
【００２１】
エントロピ符号化部２０２は入力した変換係数をビットプレーンに分解し、ビットプレーンを単位に２値算術符号化を行って符号列を出力する。
【００２２】
図４（ａ）、（ｂ）はエントロピ符号化部２０２の動作を説明する図であり、この例においては４×４の大きさを持つサブバンド内の領域において非０の変換係数が３個存在しており、それぞれ＋１３、−６、＋３の値を持っている。エントロピ符号化部２０２はこの領域を走査して最大値Ｍを求め、次式により最大の変換係数を表現するために必要なビット数Ｓを計算する（ステップＳ１２０３）。
【００２３】
Ｓ＝ceil(log2(abs(M)))       （式３）
ここでceil(x)はｘ以上の整数の中で最も小さい整数値を表す。図４（ａ）においては、最大の変換係数値は１３であるのでＳは４であり、シーケンス中の１６個の変換係数は同図（ｂ）に示すように４つのビットプレーンに分解され（ステップＳ１２０４）、これらのビットプレーンを単位として処理が行われる。最初にエントロピ符号化部２０３は最上位ビットプレーン（同図ＭＳＢで表す）の各ビットを２値算術符号化し（ステップＳ１２０５）、ビットストリームとして出力する。次にビットプレーンを１レベル下げ、以下同様に対象ビットプレーンが最下位ビットプレーン（同図ＬＳＢで表す）に至るまで、ビットプレーン内の各ビットを符号化し、ビットストリームとして出力する。そしてその結果、後述する符号列を生成し、出力する（ステップＳ１２０６）。この時、ビットプレーン内で最初の非０ビットが検出されるとそのすぐ後に当該変換係数の符号がエントロピ符号化される。
【００２４】
図５は、このようにして生成され出力される符号列の構成を表した概略図である。同図（ａ）は符号列の全体の構成を示したものであり、ＭＨはメインヘッダ、ＴＨはタイルヘッダ、ＢＳはビットストリームである。メインヘッダＭＨは同図（ｂ）に示すように、符号化対象となる画像のサイズ（水平および垂直方向の画素数）、画像を複数の矩形領域であるタイルに分割した際のサイズ、各色成分数を表すコンポーネント数、各成分の大きさ、ビット精度を表すコンポーネント情報から構成されている。なお、本実施形態において画像はタイルに分割されていないので、タイルサイズと画像サイズは同じ値を取る。また、対象画像がモノクロの多値画像の場合、コンポーネント数は１となる。
【００２５】
次にタイルヘッダＴＨの構成を図５（ｃ）に示す。タイルヘッダＴＨには当該タイルのビットストリーム長とヘッダ長を含めたタイル長および当該タイルに対する符号化パラメータから構成される。符号化パラメータには離散ウェーブレット変換のレベル、フィルタの種別等が含まれている。本実施形態におけるビットストリームの構成を同図（ｄ）に示す。同図において、ビットストリームはビットプレーンを単位としてまとめられ、ＭＳＢからＬＳＢに向かう形で配置されている。各ビットプレーンには、各サブバンドにおける量子化インデックスの当該ビットプレーンを符号化した結果が順次サブバンド単位で配置されている。
【００２６】
同図においてＳは最大の量子化インデックスを表現するために必要なビット数であり、（式３）によって計算される。このようにして生成された符号列は、ファイル出力装置３に出力される。
【００２７】
なお、以上の処理において画像信号は（式１）および （式２）における演算の結果、整数の係数として表現され、また後続のエントロピ符号化部２０３において情報損失は発生しないため、生成された符号列を復号することで元の画像は完全に復元される（可逆圧縮）。
【００２８】
ファイル出力装置３は、画像符号化装置２より入力した符号列と、画像入力装置１から入力したデータから、記憶伝送装置４に記憶または伝送するファイルを構成する（ステップＳ１２０７）。この時画像入力装置１から入力したデータとしては、撮影対象となる患者の氏名、撮像年月日および撮像時のＸ線量が入力され、前述した符号列と組み合わせて図６に示す構成のファイルを作成し、記憶伝送装置４に対して出力する。記憶伝送装置４は入力したファイルを用途に応じて記憶、またはネットワーク等を介して外部の画像受信装置に対して出力する（ステップＳ１２０８）。
【００２９】
次に、本実施形態における画像受信装置、及びその動作をこの装置の動作のフローチャートを示す図１３を用いて説明する。
【００３０】
記憶伝送装置４により記憶されたファイルは図１においてファイル入力装置５により読み込まれる（ステップＳ１３０１）。ファイル入力装置５は、入力したファイルを解析し、前述したファイル出力装置３により付加された部分（撮影対象となる患者の氏名、撮像年月日および撮像時のＸ線量）と、画像符号化装置２により生成された符号列を分離する（ステップＳ１３０２）。ここで、該符号列に関しては復号処理のため後続の画像復号装置６に出力し、またファイル出力装置３により付加されたデータのうちＸ線量のデータを同じく画像復号装置６に対して出力する。以下に本実施形態による画像受信装置における画像復号装置６の動作について説明する。
【００３１】
図７は本実施形態における画像復号装置６の構成を表すブロック図であり、６０１は符号入力部、６０２はエントロピ復号部、６０３は逆離散ウェーブレット変換部である。
【００３２】
符号入力部６０１は符号列を入力し、それに含まれる各ヘッダ（ＭＨやＴＨ）を解析して後続の処理に必要なパラメータを抽出し必要な場合は処理の流れを制御し、あるいは後続の処理ユニットに対して該当するパラメータを送出するものである。また、符号列に含まれるビットストリームはエントロピ復号部６０２に出力される。
【００３３】
エントロピ復号部６０２はビットストリームをビットプレーン単位で復号化し離散ウェーブレット変換部６０３に出力する。この時の様子を図８に示す。同図（ａ）は復号対象となるサブバンドの一領域をビットプレーン単位で順次復号する流れを図示したものであり、同図の矢印の順にビットプレーンが復号され変換係数が復元される。
【００３４】
一方エントロピ復号部６０２はファイル入力装置５から入力したＸ線量から後続の逆離散ウェーブレット変換部６０３に出力するべき変換係数の値を決定する。まず、エントロピ復号部６０２はＸ線量から所定の方法により決定されたノイズ量εを計算し（ステップＳ１３０３）、これを元に下限ビットプレーンＬを次式に基き算出する（ステップＳ１３０４）。
【００３５】
Ｌ＝ceil(log2(ε))＋１  ;  ε≧１      （式４）
Ｌ＝０                  ;  ε＝０      （式５）
但しεは１以上の整数で表現されている。次にエントロピ復号部６０２は復元された変換係数がどのサブバンドに属するかを調べ（ステップＳ１３０５）、当該係数がＬＬ以外のサブバンドに属する場合は、図８（ａ）におけるビットプレーンの復号をＬビットプレーン（復号時の下限のビットプレーン）で打ち切り、それ以降、ＬＳＢまでのビットプレーンに対してはこのビットプレ−ンに含まれる全てのビットを０に設定し（ステップＳ１３０６）、後続の逆離散ウェーブレット変換部６０３に出力する。例えば、図８（ａ）に示した係数分布において下限のビットプレーンのＬが１の時、ＬＳＢに含まれる全変換係数は全て０に置き換えられるため、逆離散ウェーブレット変換部６０３に出力される変換係数の値は、１２、６、２となる。
【００３６】
なお、復元された変換係数がＬＬのサブバンドに属する場合には、通常通りすべてのビットプレーンに対して復号化を行う（ステップＳ１３０７）。
【００３７】
図９は逆離散ウェーブレット変換部６０３の構成および処理のブロック図を示したものである。同図（ａ）において、入力された変換係数はメモリ６０３Ａに記憶される。処理部６０３Ｂは１次元の逆離散ウェーブレット変換を行い、メモリ６０３Ａから順次変換係数を読み出して処理を行うことで、２次元の逆離散ウェーブレット変換を実行する（ステップＳ１３０８）。２次元の逆離散ウェーブレット変換は、順変換と逆の手順により実行されるが、詳細は公知であるので説明を省略する。また同図（ｂ）は処理部６０３Ｂの処理ブロックを示したものであり、入力された変換係数はｕおよびｐの２つのフィルタ処理を施され、アップサンプリングされた後に重ね合わされて画像信号ｘ’が出力される。これらの処理は次式により行われる。
【００３８】
x'(2*n)=s'(n)-floor((d'(n-1)+d'(n))/4)            （式６）
x'(2*n+1)=d'(n)+floor((x'(2*n)+x'(2*n+2))/2)      （式７）
以上の処理により画像が復元され、ＣＲＴや液晶画面などにより構成されている画像表示装置７に出力、表示される（ステップＳ１３０９）。
【００３９】
以上述べたように本実施形態によれば、画像を離散ウェーブレット変換した変換係数をビットプレーン符号化し、上位ビットプレーンから順に符号化を行った。この符号列を復号する過程において、ノイズ量εの値に相当するビットプレーンを復号時の下限のビットプレーンとして復号を行っている。これにより、画像にノイズが含まれている場合において、ノイズ成分を除去した復号画像を得ることができる。
【００４０】
なお、図１２，１３に示したフローチャートに従ったプログラムコードは夫々画像送信装置、画像受信装置が有する不図示のＲＯＭもしくはＲＡＭなどのメモリに格納されている。
【００４１】
［第２の実施形態］
前述した第１の実施形態における画像受信装置では、ノイズ量εの大きさに応じて復号する変換係数の下限ビットプレーンを制御したが、ノイズの除去処理をより細かく制御する必要性がある場合もある。本実施形態では、より細かい制御によるノイズ除去処理を実現する画像受信装置について説明する。
【００４２】
図１０は本実施形態の画像受信装置における画像復号装置６の構成を図示したものである。
【００４３】
図１０において符号入力部６０１から出力された符号列はエントロピ復号部６０２においてビットプレーン単位で復号が行われるが、本実施形態においてはエントロピ復号部６０２は入力した全てのビットプレーンを復号し、復元された変換係数を後続の係数処理部６０４に出力する。係数処理部６０４は第１の実施形態で示した方法と同様に、ファイル入力装置５から入力したＸ線量から所定の方法により決定されたノイズ量εを計算し、（式４）および（式５）に基いて下限ビットプレーンＬを求める。次に係数処理部６０４はノイズ量εに基いた所定の閾値ＴからＬＬ以外のサブバンドの変換係数cに対し次式により補正された変換係数c'を計算し、出力する。
【００４４】
ｃ’＝ｃ                ；  ａｂｓ(c)＞２^Ｌ          （式８）
ｃ’＝sign(c)(abs(c)-T) ；  ａｂｓ(c)≦２^Ｌ          （式９）
逆離散ウェーブレット変換部６０３はｃ’を用いて逆変換を行い、復元された画像を画像表示装置７に出力する。
上述した処理により、ビットプレーンＬ以下のビットプレーンに含まれる変換係数に対しては、所定の閾値を設定して閾値処理を施すことによりより細かいレベルでのノイズ除去処理を復号過程で行うことができる。
【００４５】
又、本実施形態における画像受信装置の動作のフローチャートは図１３に示したフローチャートにおいて、２次元の逆離散ウェーブレット変換に用いる変換係数を（式８）（式９）によって補正する処理をステップＳ１３０８までに行うとしたフローチャートである。なお、このフローチャートに従ったプログラムコードは本実施形態における画像受信装置内の不図示のＲＯＭもしくはＲＡＭなどのメモリに格納されている。
【００４６】
また、第１、２の実施形態においては、符号化時に変換係数は直接エントロピ符号化されたが、エントロピ符号化に先立ち量子化を行っても良い。この場合復号時においてはエントロピ復号後逆量子化が行われる。
【００４７】
［他の実施形態］
さらに、第１、２の実施形態は上記実施の形態を実現するための装置及び方法のみに限定されるものではなく、上記システム又は装置内のコンピュータ（CPUあるいはMPU）に、上記実施の形態を実現するためのソフトウエアのプログラムコードを供給し、このプログラムコードに従って上記システムあるいは装置のコンピュータが上記各種デバイスを動作させることにより上記実施の形態を実現する場合も第１、２の実施形態の範疇に含まれる。
【００４８】
またこの場合、前記ソフトウエアのプログラムコード自体が上記実施の形態の機能を実現することになり、そのプログラムコード自体、及びそのプログラムコードをコンピュータに供給するための手段、具体的には上記プログラムコードを格納した記憶媒体は第１、２の実施形態の範疇に含まれる。
【００４９】
この様なプログラムコードを格納する記憶媒体としては、例えばフロッピーディスク、ハードディスク、光ディスク、光磁気ディスク、CD-ROM、磁気テープ、不揮発性のメモリカード、ROM等を用いることができる。
【００５０】
また、上記コンピュータが、供給されたプログラムコードのみに従って各種デバイスを制御することにより、上記実施の形態の機能が実現される場合だけではなく、上記プログラムコードがコンピュータ上で稼働しているOS(オペレーティングシステム)、あるいは他のアプリケーションソフト等と共同して上記実施の形態が実現される場合にもかかるプログラムコードは第１、２の実施形態の範疇に含まれる。
【００５１】
更に、この供給されたプログラムコードが、コンピュータの機能拡張ボードやコンピュータに接続された機能拡張ユニットに備わるメモリに格納された後、そのプログラムコードの指示に基づいてその機能拡張ボードや機能格納ユニットに備わるCPU等が実際の処理の一部または全部を行い、その処理によって上記実施の形態が実現される場合も第１、２の実施形態の範疇に含まれる。
【００５２】
なお上述の第１、２の実施形態を上述の記憶媒体に適応する場合、その記憶媒体には、先に説明した（図１２，１３に示す）フローチャート、もしくは第２の実施形態におけるフローチャートに対応するプログラムコードが格納されることになる。
【００５３】
【発明の効果】
以上述べたように、本発明によれば、下位ビットプレーンの復号動作を制御できる構成を備えたことにより、ビットプレーン単位に画像を圧縮・復号する際に、元の画像に含まれるノイズを除去することが可能である。
【図面の簡単な説明】
【図１】本発明の第１の実施形態における画像送信装置の基本構成を示すブロック図である。
【図２】画像符号化装置２の構成を示す図である。
【図３】離散ウェーブレット変換部２０１の基本構成を示した図である。
【図４】エントロピ符号化部２０２の動作を説明する図である。
【図５】符号列の内部の構成を示す図である。
【図６】ファイルの構成を示す図である。
【図７】本発明の第１の実施形態における画像復号装置６の構成を示すブロック図である。
【図８】エントロピ符号化部２０２の動作を説明する図である。
【図９】逆離散ウェーブレット変換部６０３の構成を示す図である。
【図１０】本発明の第２の実施形態における画像受信装置における画像復号装置６の構成を示したブロック図である。
【図１１】従来例の医療画像を電子フォーマットとして扱う場合の一連の処理を行う画像処理装置の構成を示した説明図である。
【図１２】本発明の第１の実施形態における画像送信装置の動作のフローチャートを示した図である。
【図１３】本発明の第１の実施形態における情報受信装置の動作のフローチャートを示した図である。
【図１】
0004250304.tif 000002
【図２】
0004250304.tif 000003
【図３】
0004250304.tif 000004
【図４】
0004250304.tif 000005
【図５】
0004250304.tif 000006
【図６】
0004250304.tif 000007
【図７】
0004250304.tif 000008
【図８】
0004250304.tif 000009
【図９】
0004250304.tif 000010
【図１０】
0004250304.tif 000011
【図１１】
0004250304.tif 000012
【図１２】
0004250304.tif 000013
【図１３】
0004250304.tif 000014